【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
第１色の光を受光する受光素子と前記第１色とは異なる第２色の光を受光する受光素子とが第１方向に配列された第１の複数の受光素子を備える第１ラインセンサと、前記第１色の光を受光する受光素子と前記第２色の光を受光する受光素子とが前記第１方向に配列された第２の複数の受光素子を備える第２ラインセンサと、が、前記第１方向と交差する第２方向に所定間隔で配列され、前記第１ラインセンサ及び前記第２ラインセンサを用いて原稿の画像を読み取る読取センサと、
前記第１ラインセンサに設けられた受光素子による読取結果を表す画素データの異常及び前記第２ラインセンサに設けられた受光素子による読取結果を表す画素データの異常を検出する検出手段と、
を有し、
前記検出手段は、前記第１ラインセンサにおいて、前記第１方向における第１位置に配置された前記第１色の光を受光する第１受光素子による読取結果を表す画素データと、前記第２ラインセンサにおいて、前記第１方向における前記第１位置とは異なる位置である第２位置に配置された前記第１色の光を受光する第２受光素子による読取結果を表す画素データと、に基づいて、前記第１色の画素データの異常を検出し、
前記検出手段は、前記第１ラインセンサにおいて、前記第１方向における第３位置に配置された前記第２色の光を受光する第３受光素子による読取結果を表す画素データと、前記第２ラインセンサにおいて、前記第１方向における前記第３位置とは異なる位置である第４位置に配置された前記第２色の光を受光する第４受光素子による読取結果を表す画素データと、に基づいて、前記第２色の画素データの異常を検出することを特徴とする画像読取装置。
【請求項２】
前記第１の複数の受光素子と前記第２の複数の受光素子とのそれぞれは、前記第１色の光を受光する受光素子と、前記第１色の光を受光する受光素子に隣接するとともに前記第２色の光を受光する受光素子と、を有することを特徴とする請求項１に記載の画像読取装置。
【請求項３】
前記第１の複数の受光素子と前記第２の複数の受光素子とのそれぞれは、前記第１色と前記第２色とのいずれとも異なる第３色の光を受光する受光素子を更に有し、
前記第１の複数の受光素子と前記第２の複数の受光素子とのそれぞれは、前記第１色の光を受光する受光素子と、前記第１色の光を受光する受光素子に隣接するとともに前記第２色の光を受光する受光素子と、前記第２色の光を受光する受光素子に隣接するとともに前記第３色の光を受光する受光素子と、を有することを特徴とする請求項１又は２に記載の画像読取装置。
【請求項４】
前記第１ラインセンサおよび前記第２ラインセンサにおいて、前記第１色の光を受光する受光素子、前記第２色の光を受光する受光素子、および前記第３色の光を受光する受光素子は、前記第１方向に周期的に配列されていることを特徴とする請求項３に記載の画像読取装置。
【請求項５】
前記第１色は赤、前記第２色は緑、かつ、前記第３色は青であることを特徴とする請求項３又は４に記載の画像読取装置。
【請求項６】
前記第１の複数の受光素子と前記第２の複数の受光素子とのそれぞれは、前記第１色および前記第２色のいずれとも異なる第３色の光を受光する受光素子を更に有し、
前記読取センサは、前記第１色の光を受光する受光素子、前記第２色の光を受光する受光素子、および前記第３色の光を受光する受光素子が前記第１方向に配列された第３の複数の受光素子を有する第３ラインセンサを有し、
前記第１ラインセンサ、前記第２ラインセンサ、および前記第３ラインセンサは、前記第２方向に前記所定間隔で配列されており、
前記第１ラインセンサにおいて記第１方向における第５位置に配置された受光素子、前記第２ラインセンサにおいて前記第１方向における前記第５位置に配置された受光素子、前記第３ラインセンサにおいて前記第１方向における前記第５位置に配置された受光素子は、それぞれ互いに異なる光を受光する受光素子であり、前記第５位置は、前記第１方向における前記第１位置および前記第２位置のいずれとも異なる位置であることを特徴とする請求項１又は２に記載の画像読取装置。
【請求項７】
前記読取センサはＣＭＯＳセンサであることを特徴とする請求項１乃至６のいずれか一項に記載の画像読取装置。
【請求項８】
前記画像読取装置は、
前記受光素子が受光する光の強度を表す信号をデジタル値によって表される画素データへと変換する変換手段と、
前記変換手段によって変換された画素データを記憶する記憶手段と、
前記記憶手段に記憶された前記第１色に対応する複数の画素データに基づいて前記第１色の画素列を生成し、前記記憶手段に記憶された前記第２色に対応する複数の画素データに基づいて前記第２色の画素列を生成する生成手段と、
を有し、
前記検出手段は、前記第１色の画素列に基づいて前記第１色の画素データの異常を検出し、前記第２色の画素列に基づいて前記第２色の画素データの異常を検出することを特徴とする請求項１乃至７のいずれか一項に記載の画像読取装置。
【請求項９】
前記画像読取装置は、前記変換手段によって変換された前記デジタル値に基づいて前記画素データを二値化する二値化手段を有し、
前記検出手段は、二値化により得られた二値化データの分散に基づいて前記画素データの異常を検出することを特徴とする請求項８に記載の画像読取装置。
【請求項１０】
前記検出手段は、異常が検出された画素データに対応する受光素子に前記第１方向において隣接する受光素子に対応する画素データを異常として決定することを特徴とする請求項１乃至９のいずれか一項に記載の画像読取装置。
【請求項１１】
前記画像読取装置は、前記検出手段によって異常が検出された前記第１色の画素データを、前記第１方向における第６位置に設けられた受光素子に対応する前記第１色の画素データに基づいて補正する補正手段を有し、
前記第６位置は、前記検出手段によって異常が検出された前記第１色の画素データに対応する受光素子に前記第１方向において隣接する受光素子が設けられる位置であることを特徴とする請求項１乃至１０のいずれか一項に記載の画像読取装置。
【請求項１２】
第１色の光を受光する受光素子と前記第１色とは異なる第２色の光を受光する受光素子とが第１方向に配列された第１の複数の受光素子を備える第１ラインセンサと、前記第１色の光を受光する受光素子と前記第２色の光を受光する受光素子とが前記第１方向に配列された第２の複数の受光素子を備える第２ラインセンサと、が、前記第１方向と交差する第２方向に所定間隔で配列され、前記第１ラインセンサ及び前記第２ラインセンサを用いて原稿の画像を読み取る読取センサと、
前記読取センサの読み取り結果に基づいて記録媒体に画像形成を行う画像形成手段と、
前記第１ラインセンサに設けられた受光素子による読取結果を表す画素データの異常及び前記第２ラインセンサに設けられた受光素子による読取結果を表す画素データの異常を検出する検出手段と、
を有し、
前記検出手段は、前記第１ラインセンサにおいて、前記第１方向における第１位置に配置された前記第１色の光を受光する第１受光素子による読取結果を表す画素データと、前記第２ラインセンサにおいて、前記第１方向における前記第１位置とは異なる位置である第２位置に配置された前記第１色の光を受光する第２受光素子による読取結果を表す画素データと、に基づいて、前記第１色の画素データの異常を検出し、
前記検出手段は、前記第１ラインセンサにおいて、前記第１方向における第３位置に配置された前記第２色の光を受光する第３受光素子による読取結果を表す画素データと、前記第２ラインセンサにおいて、前記第１方向における前記第３位置とは異なる位置である第４位置に配置された前記第２色の光を受光する第４受光素子による読取結果を表す画素データと、に基づいて、前記第２色の画素データの異常を検出することを特徴とする画像形成装置。
【請求項１３】
第１色の光を受光する受光素子と前記第１色とは異なる第２色の光を受光する受光素子と前記第１色および前記第２色のいずれとも異なる第３色の光を受光する受光素子とが第１方向に配列された第１の複数の受光素子を備える第１ラインセンサと、前記第１色の光を受光する受光素子と前記第２色の光を受光する受光素子と前記第３色の光を受光する受光素子とが前記第１方向に配列された第２の複数の受光素子を備える第２ラインセンサと、前記第１色の光を受光する受光素子と前記第２色の光を受光する受光素子と前記第３色の光を受光する受光素子とが前記第１方向に配列された第３の複数の受光素子を備える第３ラインセンサと、が、前記第１方向と交差する第２方向に所定間隔で配列され、前記第１ラインセンサ、前記第２ラインセンサ、及び前記第３ラインセンサを用いて原稿の画像を読み取る読取センサと、
前記第１ラインセンサに設けられた受光素子による読取結果を表す画素データの異常、前記第２ラインセンサに設けられた受光素子による読取結果を表す画素データの異常、及び前記第３ラインセンサに設けられた受光素子による読取結果を表す画素データの異常を検出する検出手段と、
を有し、
前記第１ラインセンサ、前記第２ラインセンサおよび前記第３ラインセンサにおいては前記第１色の光を受光する受光素子、前記第２色の光を受光する受光素子、および前記第３色の光を受光する受光素子は、第１方向に周期的に配列されており、
前記第１ラインセンサにおいて前記第１方向の第１位置に配置された受光素子、前記第２ラインセンサで前記第１方向の第１位置に配置された受光素子、および前記第３ラインセンサで前記第１方向の第１位置に配置された受光素子は、それぞれ互いに異なる光を受光する受光素子であり、
前記検出手段は、前記第１ラインセンサにおいて、前記第１方向における第２位置に配置された前記第１色の光を受光する第１受光素子による読取結果を表す画素データと、前記第２ラインセンサにおいて、前記第１方向における前記第２位置とは異なる位置である第３位置に配置された前記第１色の光を受光する第２受光素子による読取結果を表す画素データと、前記第３ラインセンサにおいて、前記第１方向における前記第２位置及び前記第３位置とのいずれとも異なる位置である第４位置に配置された前記第１色の光を受光する第３受光素子による読取結果を表す画素データと、に基づいて、前記第１色の画素データの異常を検出し、
前記第２位置、前記第３位置および前記第４位置は、互いに異なる位置であることを特徴とする、画像読取装置。
【請求項１４】
前記第１色は赤、前記第２色は緑、かつ、前記第３色は青であることを特徴とする、
請求項１３に記載の画像読取装置。
【請求項１５】
前記センサはＣＭＯＳセンサであることを特徴とする、
請求項１３又は１４に記載の画像読取装置。
【手続補正２】
【補正対象書類名】明細書
【補正対象項目名】発明の名称
【補正方法】変更
【補正の内容】
【発明の名称】画像読取装置および画像形成装置
【手続補正３】
【補正対象書類名】明細書
【補正対象項目名】０００７
【補正方法】変更
【補正の内容】
【０００７】
本発明が提供する画像読取装置は、第１色の光を受光する受光素子と前記第１色とは異なる第２色の光を受光する受光素子とが第１方向に配列された第１の複数の受光素子を備える第１ラインセンサと、前記第１色の光を受光する受光素子と前記第２色の光を受光する受光素子とが前記第１方向に配列された第２の複数の受光素子を備える第２ラインセンサと、が、前記第１方向と交差する第２方向に所定間隔で配列され、前記第１ラインセンサ及び前記第２ラインセンサを用いて原稿の画像を読み取る読取センサと、前記第１ラインセンサに設けられた受光素子による読取結果を表す画素データの異常及び前記第２ラインセンサに設けられた受光素子による読取結果を表す画素データの異常を検出する検出手段と、を有し、前記検出手段は、前記第１ラインセンサにおいて、前記第１方向における第１位置に配置された前記第１色の光を受光する第１受光素子による読取結果を表す画素データと、前記第２ラインセンサにおいて、前記第１方向における前記第１位置とは異なる位置である第２位置に配置された前記第１色の光を受光する第２受光素子による読取結果を表す画素データと、に基づいて、前記第１色の画素データの異常を検出し、前記検出手段は、前記第１ラインセンサにおいて、前記第１方向における第３位置に配置された前記第２色の光を受光する第３受光素子による読取結果を表す画素データと、前記第２ラインセンサにおいて、前記第１方向における前記第３位置とは異なる位置である第４位置に配置された前記第２色の光を受光する第４受光素子による読取結果を表す画素データと、に基づいて、前記第２色の画素データの異常を検出することを特徴とする。